(57)【要約】【課題】骨盤サポートバンドを、外見上目立たないように、簡易に骨盤周囲に囲繞装着して使用できるだけではなく、骨盤をサポートする力がより強い骨盤サポートバンド付きズボンを提供すること。【解決手段】骨盤サポートバンド付きズボン１において、ズボン本体は、ズボン本体において人体に接する側である内側に配置され、幅広環状の形状を有し、所定の伸縮性を有する第１サポート部材４と、第１サポート部材４の幅に収まるように配置され、第１サポート部材４の幅よりも狭い幅の幅広環状の形状を有し、第１サポート部材４の伸縮性よりも大きな伸縮性を有する第２サポート部材５と、を有する。そして、ズボン本体が人体に装着されたときに、第１サポート部材４と第２サポート部材５が、人体の骨盤周囲に囲繞装着されるようになっている。【選択図】図１
0003182713.tif 000002
【実用新案登録請求の範囲】
【請求項１】
ズボン本体と、
前記ズボン本体において人体に接する側である内側に配置され、幅広環状の形状を有し、所定の伸縮性を有する第１サポート部材と、
前記第１サポート部材の幅に収まるように配置され、前記第１サポート部材の幅よりも狭い幅の幅広環状の形状を有し、前記第１サポート部材の伸縮性よりも大きな伸縮性を有する第２サポート部材と、を有し、
前記第２サポートバンドの上端と下端は前記第１サポートバンドに縫い合わされて固定されており、
前記ズボン本体が人体に装着されたときに、前記第１サポート部材と前記第２サポート部材の重複部が、人体の骨盤周囲に囲繞装着されるように、前記ズボン本体、前記第１サポート部材及び前記第２サポート部材の相対的位置が規定されており、
前記ズボン本体上部には、絞り紐が配置され、胴回りの周囲長を調整できるようになっている骨盤サポートバンド付きズボン。
【請求項２】
前記第２サポート部材は、前記ズボン本体と前記第１サポート部材の間に配置される請求項１に記載の骨盤サポートバンド付きズボン。
【請求項３】
前記第１サポート部材の上端は全周にわたって直接的に前記ズボン本体に接続されており、
前記第１サポート部材の下端は前記ズボンに接続されておらず、少なくとも４本の連結紐によって、前記ズボン本体に接続されており、
各前記連結紐の長さと、前記連結紐間の間隔は、前記第１サポート部材が最大限に伸びた状態において、前記第１サポート部材と前記ズボン本体との固定を確保できるように規定されている請求項１または請求項２のいずれかに記載の骨盤サポートバンド付きズボン。
【考案の詳細な説明】
【技術分野】
【０００１】
本考案は、人体に装着するズボンであり、骨盤をサポートするバンドを備えたズボンに関する。
【背景技術】
【０００２】
骨盤の周囲を外部から締め付けることによって、腰痛の発生を防止できることは周知であり、骨盤周囲に装着する骨盤サポータが存在する。例えば、特開２００６−１９２２６０号公報には、中央部分に前面空間を設けて、右腰近傍から左足付け根近傍にかけて及び左腰近傍から右足付け根近傍にかけて前面空間で交差する左右１対の交差部分を設けた骨盤矯正ガードルが開示されている。
【先行技術文献】
【特許文献】
【０００３】
【特許文献１】特開２００６−１９２２６０号公報
【考案の概要】
【考案が解決しようとする課題】
【０００４】
しかし、上述の骨盤矯正ガードルは、交差部分の根元が脚部の骨の大転子に当接するとともに、足の付け根近傍を内側へ引っ張ることで、骨盤の歪みを矯正することを課題として開発されたものであるが、この骨盤矯正ガードルをズボン等の下に着用した場合、中央部分の前面空間や交差部分による凹凸がズボンの表面に表れ、外見上骨盤矯正ガードルが目立つという問題がある。
【０００５】
そこで本考案は、骨盤サポートバンドを、外見上目立たないように、簡易に骨盤周囲に囲繞装着して使用できるし、さらに、骨盤をサポートする力が強い骨盤サポートバンド付きズボンを提供するものである。
【課題を解決するための手段】
【０００６】
第１の考案は、ズボン本体と、前記ズボン本体において人体に接する側である内側に配置され、幅広環状の形状を有し、所定の伸縮性を有する第１サポート部材と、前記第１サポート部材の幅に収まるように配置され、前記第１サポート部材の幅よりも狭い幅の幅広環状の形状を有し、前記第１サポート部材の伸縮性よりも大きな伸縮性を有する第２サポート部材と、を有し、前記第２サポートバンドの上端と下端は前記第１サポートバンドに縫い合わされて固定されており、前記ズボン本体が人体に装着されたときに、前記第１サポート部材と前記第２サポート部材の重複部が、人体の骨盤周囲に囲繞装着されるように、前記ズボン本体、前記第１サポート部材及び前記第２サポート部材の相対的位置が規定されており、前記ズボン本体上部には、絞り紐が配置され、胴回りの周囲長を調整できるようになっている骨盤サポートバンド付きズボンである。
【０００７】
第１の考案の構成によれば、第１サポート部材だけではなくて、第２サポート部材によっても、骨盤をサポートすることができる。
【０００８】
第２の考案は、第１の考案において、前記第２サポート部材は、前記ズボン本体と前記第１サポート部材の間に配置される請求項１に記載の骨盤サポートバンド付きズボンである。
【０００９】
第２の考案の構成によれば、第２サポート部材が、収縮力は大きいが、肌触りが良好ではない生地で形成された場合であっても、使用者に不快感を与えることはない。
【００１０】
第３の考案は、第１の考案または第２の考案において、前記第１サポート部材の上端は全周にわたって直接的に前記ズボン本体に接続されており、前記第１サポート部材の下端は前記ズボンに接続されておらず、少なくとも４本の連結紐によって、前記ズボン本体に接続されており、各前記連結紐の長さと、前記連結紐間の間隔は、前記第１サポート部材が最大限に伸びた状態において、前記第１サポート部材と前記ズボン本体との固定を確保できるように規定されている。
【００１１】
第３の考案の構成によれば、第１サポート部材下端部は、ズボン本体内部に直接的には接続されてはいないが、少なくとも４本の連結紐によって、ズボン本体の内部に接続されている。そして、各連結紐の長さと、連結紐間の間隔は、第１サポート部材が最大限に伸びた状態において、第１サポート部材とズボン本体との固定を確保できるようになっている。これにより、第１サポート部材及びそれに配置された第２サポート部材の自由な動きを確保しつつも、位置を固定し、さらに、第１サポート部材及び第２サポート部材の伸縮をも確保することができる。
【考案の効果】
【００１２】
本考案によれば、骨盤サポートバンドを、外見上目立たないように、簡易に骨盤周囲に囲繞装着して使用できるだけではなく、骨盤をサポートする力が強い骨盤サポートバンド付きズボンを提供できる。
【図面の簡単な説明】
【００１３】
【図１】本考案の実施形態であるズボンの外観正面図である。
【図２】図１に示すズボンを裏返した状態のズボン正面側の図である。
【図３】図２の状態における、ズボン上部、第１サポートバンド及び第２サポートバンドを示す図である。
【図４】図３の状態における、第１サポートバンド及び第２サポートバンドを内側から見た状態を示す図である。
【図５】第１サポートバンドを示す図である。
【図６】第２サポートバンドを示す図である。
【図７】本考案の実施形態であるズボンが人体に装着された状態を示す図である。
【図８】第１サポートバンド及び第２サポートバンドが骨盤をサポートする力を模式的に示す図である。
【考案を実施するための形態】
【００１４】
以下、本考案の実施形態を図面に基づいて説明する。
図１は本考案の実施形態であるズボン１の外観正面図である。図２は、図１に示すズボン１を裏返した状態のズボン正面側の図であり、図３は、図２の状態における、ズボン上部２、第１サポートバンド４及び第２サポートバンド５を示す図である。図４は、図３の状態における、第１サポートバンド４及び第２サポートバンド５を内側から見た状態を示す図である。図５は第１サポートバンド４を示す図であり、図６は第２サポートバンド５を示す図である。図７は、本発明の実施形態であるズボン１が人体に装着された状態を示す図である。図８は、第１サポートバンド４及び第２サポートバンド５が骨盤をサポートする力を模式的に示す図である。
【００１５】
ズボン１の本体を構成するズボン本体上部２及びズボン本体下部３は、例えば、綿糸やポリエステル繊維、ポリウレタン繊維を織って、あるいは編んで、形成した生地で形成されている。ズボン本体上部２及びズボン本体下部３は、互いに縫い合わされて接続されている。ズボン本体上部２には、絞り紐６が配置され、胴回りの周囲長を調整できるようになっている。
【００１６】
ズボン１は、第１サポートバンド４を有する。第１サポートバンド４は、ズボン１において人体に接する側である内側に配置され、幅広環状の形状を有し、所定の伸縮性を有する。第１サポートバンド４の上端は全周にわたって直接的にズボン本体上部２に逢着により接続されている。図２に示すように、第１サポートバンド４の下端はズボンには直接には接続されておらず、６本の連結紐７によって、ズボン本体下部３に接続されている。図２においては、３本の連結紐７が表示されているが、裏側に図示しない３本の連結紐７が存在する。なお、本実施形態において、連結紐７を６本設けているが、これに限らず、連結紐７は少なくとも４本設けてあればよい。連結紐７が４本の場合、連結紐７は、正面側に２本、裏側に２本設ける。
【００１７】
図５に示すように、第１サポートバンド４は、肌触りの良好な生地、例えば、ポリエステル繊維を含む繊維で編んだ生地で形成されており、伸縮性、柔軟性を有する。具体的には、ポリエステル４７％未満、レーヨン４７％未満、ポリウレタン６％、トルマリン１％未満で構成され生地である。第１サポートバンド４は、力を加えない状態の長さｗ１ａの部分が、通常の人間の力で左右に引っ張った場合に、長さｗ１ｂに伸びる。例えば、長さｗ１ａは１０ｃｍであり、長さｗ１ｂは１８ｃｍである。
【００１８】
上述の各連結紐７の長さと、連結紐７間の間隔は、第１サポートバンド４が最大限に伸びた状態において、図５（ｂ）に示すように、第１サポートバンド４とズボン本体下部３との固定を確保できるように規定されている。
【００１９】
第１サポートバンド４には、第１サポートバンド４の幅に収まるように第２サポートバンド５が配置されている。第２サポートバンド５は、第１サポートバンド４とズボン本体下部３との間に配置されており、ズボン１が人体に装着されたときに、直接には人体とは接しないようになっている。第２サポートバンド５の上端と下端は第１サポートバンド４に縫い合わされて固定されている。第２サポートバンド５は、第１サポートバンド４の幅よりも狭い幅の幅広環状の形状を有し、第１サポートバンド４の伸縮性よりも大きな伸縮性を有する。
【００２０】
図６に示すように、第２サポートバンド５は、例えば、ポリウレタン繊維２０％とポリエステル繊維８０％から構成される繊維をメッシュ状に加工して形成されており、力を加えない状態の長さｗ２ａの部分が、通常の人間の力で左右に引っ張った場合に、長さｗ２ｂに伸びる。長さｗ２ｂは、第１サポートバンド４を左右に引っ張った場合の長さｗ１ｂよりも長い。例えば、長さｗ２ａは１０ｃｍであり、長さｗ２ｂは２４ｃｍである。第２サポートバンド５は、その材質の特性から、第１サポートバンド４よりも大きく伸びるだけではなくて、収縮するときの力も大きい。なお、第２サポートバンド５は、ポリウレタン繊維とポリエステル繊維の双方で構成される繊維に限らず、いずれか単体で構成される繊維でもよいし、例えば、ゴム紐に糸を巻き付けた伸縮性紐を編んで形成してもよい。また、生地の形成方法は、所定の伸張力が得られる限り、編んでもよいし、織ってもよい。
第２サポートバンド５は、肌触りがよい生地で形成されていない場合であっても、上述のように、第２サポートバンド５は人体に直接接することはないから、使用者に不快感を与えることはない。
【００２１】
第２サポートバンド５は、ズボン１が人体に装着されたときに、第２サポートバンド５と第１サポートバンド４の重複部が人体の骨盤部に対応する位置になるように、ズボン本体１及び第１サポートバンド４との関係で、位置が規定されている。すなわち、図３に示すように、第２サポートバンド５は、第１サポートバンド４の上端から距離ｄだけ離れた位置において固定されている。距離ｄは、ズボン１が人体に装着されたときに、第２サポートバンド５が骨盤部に対応する位置になるように規定されている。このように、第２サポートバンド５は、第１サポートバンド４と完全には重複しておらず、二重になっている部分と、第１サポートバンド４だけの部分とが存在し、骨盤部に対応する部分が二重、すなわち、第２サポートバンド５と第１サポートバンド４の重複部になっている。この構造により、腹部には大きな負担をかけずに、骨盤部を強力にサポートできるようになっている。
【００２２】
図７に示すように、ズボン１が人体に装着されるときは、まず、ズボン本体下部３に脚が通され、ズボン本体上部２が腹の位置まで引き上げられる。このとき、第１サポートバンド４及び第２サポートバンド５は、人体の骨盤部に配置され、骨盤部において押し広げられた状態となる。これにより、第１サポートバンド４及び第２サポートバンド５の元の状態に戻ろうとする収縮する力が働き、この力から生ずるサポート力Ｆにより人体の骨盤部をサポートする。
【００２３】
図８は、人体の骨盤部に配置された第１サポートバンド４及び第２サポートバンド５を上方から視た図である。図８に示すように、サポート力Ｆは、第１サポートバンド４の収縮する力ｆ１と第２サポートバンド５の収縮する力ｆ２の合力から成る。このように、第２サポートバンド５が第１サポートバンド４に固定されているから、２つのサポートバンドによって、人体の骨盤部を強力にサポートすることができる。
【００２４】
また、上述のように、第２サポートバンド５は、第１サポートバンド４よりも、伸縮性が大きい。言い換えると、第１サポートバンド４は、第２サポートバンド５よりも、伸縮性が小さい。このため、第２サポートバンド５は、本来、第１サポートバンド４よりも伸縮性が大きいのであるが、第１サポートバンド４にその上端部と下端部が固定されているために、その伸びは、第１サポートバンド４の伸縮性によって制限される。このため、第２サポートバンド５は、本来の伸縮性の限界近くまで伸びることはないから、その伸縮性を長い間保持することができ、伸びて元に戻らない状態になることを回避することができる。
【００２５】
以上説明したズボン１は、腰痛抑制、腰痛防止等に利用することができる。
【００２６】
本考案は、上記の実施形態に限定されるものではなく、本発明の目的を達成できる範囲での変形、改良等は本発明に含まれるものである。本発明は、例えば、スーツ用ズボン、通勤、通学等に穿く一般的なズボン、各種運動用ズボン、各種作業用ズボン等の各種外着用の長ズボン又は短ズボン等に適用できる。
【符号の説明】
【００２７】
１  ズボン
２  ズボン本体上部
３  ズボン本体下部
４  第１サポートバンド
５  第２サポートバンド
６  絞り紐
７  連結紐
【図１】
0003182713.tif 000003
【図２】
0003182713.tif 000004
【図３】
0003182713.tif 000005
【図４】
0003182713.tif 000006
【図５】
0003182713.tif 000007
【図６】
0003182713.tif 000008
【図７】
0003182713.tif 000009
【図８】
0003182713.tif 000010
【手続補正書】
【提出日】平成24年11月15日(2012.11.15)
【手続補正１】
【補正対象書類名】実用新案登録請求の範囲
【補正対象項目名】全文
【補正方法】変更
【補正の内容】
【実用新案登録請求の範囲】
【請求項１】
ズボン本体と、
前記ズボン本体において人体に接する側である内側に配置され、幅広環状の形状を有し、所定の伸縮性を有する第１サポート部材と、
前記第１サポート部材の幅に収まるように配置され、前記第１サポート部材の幅よりも狭い幅の幅広環状の形状を有し、前記第１サポート部材の伸縮性よりも大きな伸縮性を有する第２サポート部材と、を有し、
前記第２サポート部材の上端と下端は前記第１サポート部材に縫い合わされて固定されており、
前記ズボン本体が人体に装着されたときに、前記第１サポート部材と前記第２サポート部材の重複部が、人体の骨盤周囲に囲繞装着されるように、前記ズボン本体、前記第１サポート部材及び前記第２サポート部材の相対的位置が規定されており、
前記ズボン本体上部には、絞り紐が配置され、胴回りの周囲長を調整できるようになっている骨盤サポートバンド付きズボン。
【請求項２】
前記第２サポート部材は、前記ズボン本体と前記第１サポート部材の間に配置される請求項１に記載の骨盤サポートバンド付きズボン。
【請求項３】
前記第１サポート部材の上端は全周にわたって直接的に前記ズボン本体に接続されており、
前記第１サポート部材の下端は前記ズボンに接続されておらず、少なくとも４本の連結紐によって、前記ズボン本体に接続されており、
各前記連結紐の長さと、前記連結紐間の間隔は、前記第１サポート部材が最大限に伸びた状態において、前記第１サポート部材と前記ズボン本体との固定を確保できるように規定されている請求項１または請求項２のいずれかに記載の骨盤サポートバンド付きズボン。